(57)【要約】【課題】  鉄筋コンクリート有孔梁の建設において、梁の孔位置の前後に各複数個の補強金具を配置する必要があり、このニーズに対してこれら複数個の補強金具の正確な位置決めと強固な連結ができると共に、取付けが容易で作業性にも優れている補強金具の連結具を提供する。【解決手段】  補強金具の連結具１は、補強金具Ａの環状部の棒鋼Ａａを係止する係止部４の複数組を所定の間隔で固定した保持杆３と、該保持杆３の複数組を所定の間隔を存して固定した連結杆２とからなる。【選択図】        図１
2011236643.tif 000002
【特許請求の範囲】
【請求項１】
複数の補強金具を係止する係止部を所定の間隔で固定した保持杆と、該保持杆の複数を所定の間隔を存して固定した連結杆とからなる補強金具の連結具。
【請求項２】
前記係止部は、前記補強金具の環状体部の棒鋼の差込が可能にコ字状に形成されている請求項１に記載の補強金具の連結具。
【請求項３】
前記保持杆は、棒状からなり、その両端部に前記係止部を形成した請求項２に記載の補強金具の連結具。
【請求項４】
前記連結杆は、棒体からなり、該棒体の両端部に前記保持杆を固定してエ字状に形成した請求項２又は請求項３に記載の補強金具の連結具。
【発明の詳細な説明】
【技術分野】
【０００１】
本発明は鉄筋コンクリート有孔梁の配筋において、当該孔部の補強に用いられる補強金具に関する。
【背景技術】
【０００２】
梁の中に抜き孔を有する鉄筋コンクリート有孔梁を建設する場合、該孔部を形成するスリーブの周りに鉄棒を折り曲げて作った環状体部を有する補強金具を配置して、孔部のコンクリートの補強をしている。
【０００３】
このような環状体部を有する従来の補強金具として、例えば特許文献１の例がある（特許文献１参照。）。
【先行技術文献】
【特許文献】
【０００４】
【特許文献１】特許第３５５６５０６号公報（図１乃至図７参照）
【発明の概要】
【発明が解決しようとする課題】
【０００５】
前記従来の補強金具Ａは、図３の如く方形の内外複数の環状体部Ｂを有しており、図４に示されている如く、梁の孔位置の前後に各１組の補強金具Ａを配置し、該梁の骨組を形成するカゴ組等の梁鉄骨Ｃにこれら補強金具Ａを針金等で結束すると共に、これら補強金具Ａ内にスリーブＤを挿通保持し、コンクリート型枠Ｅ内にコンクリートＦを打設してコンクリート有孔梁を得ている。
【０００６】
しかし、高耐力を要する梁に前記補強金具Ａを使用する場合は、梁の孔位置の前後に各１枚の補強金具Ａを配置しただけでは補強筋量が不足することがあった。
【０００７】
この様な場合には、梁の孔位置の前後に各複数枚の補強金具を配置して、これらを互いに針金で縛るなどして保持するようにした例がある。
【０００８】
しかし、補強金具を互いに少許の間隔を有して針金で結束するのは技術的に困難であると共に、各補強金具の相互間の位置取りにもばらつきを生じ、しかも各補強金具が安定しないという問題があった。
【０００９】
本発明はこれらの問題点を解消し、複数枚の補強金具を所定の間隔で連結して高耐力の補強金具とすることができると共に、短時間の作業で複数枚の補強金具を強固に連結することができるような鉄筋コンクリート有孔梁の補強金具の連結具を提供することを目的とする。
【課題を解決するための手段】
【００１０】
本発明は上記の目的を達成すべく、複数の補強金具を係止する係止部を所定の間隔で固定した保持杆と、該保持杆の複数を所定の間隔を存して固定した連結杆とからなる。
【発明の効果】
【００１１】
本発明によれば、高耐力を要する鉄筋コンクリート有孔梁の両側に各複数個の補強金具を配置する場合に、各補強金具を所定の間隔で強固に連結することができると共に、連結作業も容易になり、作業時間が短縮する効果を有する。
【図面の簡単な説明】
【００１２】
【図１】本発明の補強金具の連結具の実施例１の斜視図である。
【図２】同上補強金具の連結具の使用状態を示す説明図である。
【図３】補強金具の１例の正面図である。
【図４】同上補強金具を用いた有孔梁の施工法を示す断面図である。
【発明を実施するための形態】
【００１３】
本発明を実施するための形態の実施例を以下に示す。
【実施例１】
【００１４】
本発明の実施例１を図１及び図２によって説明する。
【００１５】
図１は本実施例の補強金具の連結具１の斜視図、図２は該補強金具の連結具１の使用状態を示す説明図である。
【００１６】
補強金具の連結具１は鉄筋コンクリート用棒鋼等の鋼材により形成され、連結杆２と、該連結杆２の両端部にそれぞれＴ字状に溶接により固定されている棒状の保持杆３と、各保持杆３の両端部に設けられている補強金具Ａ（Ａ１、Ａ２、Ａ３）への係止部４からなる。即ち、保持杆３と連結杆２はエ字状に形成されている。
【００１７】
これら各係止部４は、前記補強金具Ａの環状体部Ｂを構成する棒鋼Ａａが差し込み可能な幅のコ字状に形成されている。
【００１８】
即ち、前記保持杆３の両端部を同一方向へ直角に屈曲させて突出部３ａを形成すると共に、前記補強金具Ａの環状体部Ｂを構成する棒鋼Ａａの直径と等しい間隔を有して前記突出部３ａと平行に、棒体４ａを前記保持杆３の本体の鋼材の片側に溶接して固定し、これら各突出部３ａと棒体４ａと保持杆３の本体部によりコ字状の係止部４を形成している。
【００１９】
次に本実施例の補強金具の連結具１の使用方法及びその効果について説明する。
【００２０】
鉄筋コンクリート有孔梁の建設において、特に高耐力を要する梁を必要とする場合に、複数個の補強金具Ａを強固に連結するために補強金具の連結具１を使用する。
【００２１】
即ち図２に示す如く、孔形成のためのスリーブＤの外側に３個の補強金具Ａ１、Ａ２、Ａ３を配置し、端部に近い位置の補強金具Ａ１を梁鉄骨Ｃのあばら筋Ｃ１（スリーブＤに向かって右側）及びあばら筋Ｃ２（スリーブＤに向かって左側）に結束して固定する。
【００２２】
尚、Ｇは結束用の針金を示す。
【００２３】
次いで、補強金具Ａ１とＡ２の最外側の棒鋼Ａａに第１の連結具１の係止部４を差し込み、補強金具Ａ１とＡ２を該第１の連結具１で固定し、更に補強金具Ａ２とＡ３を同様に第２の連結具１´で固定する。
【００２４】
尚、補強金具の連結具１、１´は、各四隅にある係止部４を補強金具Ａ１、Ａ２、又はＡ３の環状体部Ｂの棒鋼Ａａに係合させて係止しているが、該係止部４の上から更に針金で結束して、結着をより強固なものとしてもよい。
【００２５】
このように補強金具の連結具１は、連結する補強金具Ａの数が２個、又は２個以上の複数個であっても容易にこれら補強金具Ａ１、Ａ２、Ａ３を所定の間隔で強固に連結することができる効果を有している。
【００２６】
尚、各補強金具Ａの隣り合う間隔は、前記保持杆３の両端部に設けた係止部４の相互間の距離によって決まるものであり、該係止部４の相互間の距離を例えば７５ミリメートル、１００ミリメートル、及び１２５ミリメートルの３種類に標準化しておき、予め標準長さの上記３種類を複数個準備すれば、鉄筋コンクリート有孔梁の配筋作業を効率良く行なうことができる効果も有している。
【００２７】
又、前記係止部４の相互間の距離が前述の３種類以外の種々の長さとなる連結具１をそれぞれ用意することにより、補強金具１の隣り合う間隔が種々の場合も適用可能となる。
【００２８】
更に又、前記実施例では、係止部４が保持杆３の両端部に固定した例を示したが、必要に応じて、３個以上の係止部４を保持杆３に固定してもよく、又、前記実施例では保持杆３を連結杆２の両端部に固定した例を示したが、該保持杆３を連結杆２の適宜の中間位置に互いに間隔を存して固定してもよく、又、必要に応じて３個以上の保持杆３を連結杆２に固定してもよい。
【産業上の利用可能性】
【００２９】
本発明の補強金具の連結具は、鉄筋コンクリート有孔梁の建設において、特に高耐力を要して複数枚の補強金具を用いる場合の配筋に用いられる。
【符号の説明】
【００３０】
１、１´              補強金具の連結具
２                    連結杆
３                    保持杆
４                    係止部
Ａ、Ａ１、Ａ２、Ａ３  補強金具
【図１】
2011236643.tif 000003
【図２】
2011236643.tif 000004
【図３】
2011236643.tif 000005
【図４】
2011236643.tif 000006